(57)【要約】【課題】長期間の反復的な繰り返し使用に際しても弾性片における接続方向手前側の自由端が座屈変形されずに相手側コンタクトに対して安定した接触部の接触動作を行わせることができるコンタクトを提供すること。【解決手段】このコンタクト１０の要部は、側壁１の内部に備えられる弾性片２の長さ方向の側面形状が側壁１の軸心に対して接触部２ｂが最も接近し、且つ固定端２ｃよりも自由端２ａが接近するように繋がって屈曲したもので、相手側コンタクト（略図）との接続時に互いに協働して自由端２ａの変位を規制するための変位規制手段として、弾性片２については延在方向と垂直な外方へ突出するように自由端２ａの両端部に設けられたストッパ突出片部２ａ′、側壁については弾性変位したストッパ突出片部２ａ′を当接させて係止するための内部の所定箇所に対向して設けられたストッパ受突起部１ａを備えた構造となっている。【選択図】図２
2006302688.tif 000002
【特許請求の範囲】
【請求項１】
相手側コンタクトとの接続時に弾性変位して該相手側コンタクトに摺動接触する接触部を含む弾性片を側壁で囲って成ると共に、該側壁の内部で該弾性片にあっての接続方向手前側となる一端側を自由端とし、且つ接続方向奥手側となる他端側を固定端として所定箇所に保持固定して該側壁の軸心に近い部分に該接触部を持たせて成るコンタクトにおいて、前記弾性片及び前記側壁は、互いに協働して前記自由端の変位を規制するための変位規制手段を有することを特徴とするコンタクト。
【請求項２】
請求項１記載のコンタクトにおいて、前記弾性片にあっての前記変位規制手段は、延在方向と垂直な外方へ突出するように前記自由端の端部に設けられたストッパ部であり、前記側壁にあっての前記変位規制手段は、前記ストッパ部を当接させて係止するための内部の所定箇所に設けられたストッパ受部であることを特徴とするコンタクト。
【請求項３】
請求項１又は２記載のコンタクトにおいて、前記弾性片は、長さ方向の側面形状が前記側壁の軸心に対して前記接触部が最も接近し、且つ前記固定端よりも前記自由端が接近するように繋がって屈曲したものであることを特徴とするコンタクト。
【請求項４】
請求項１〜３の何れか一つに記載のコンタクトの所定数のものをハウジングに保持固定して成ることを特徴とするコネクタ。
【発明の詳細な説明】
【技術分野】
【０００１】
本発明は、主として相手側雄型コンタクトとの接続時に弾性変位して相手側雄型コンタクトに接触する接触部を含む弾性片を側壁で囲って成る雌型コンタクトに関し、詳しくは長期間の反復的な使用に際しても弾性片にあっての接続方向手前側に位置される自由端が座屈変形されずに接触部の安定した接触を行わせることができる優れた耐久性構造を持つコンタクト及びそれを用いたコネクタに関する。
【背景技術】
【０００２】
従来、この種の雌型コンタクトとしては、例えば側壁から一体的に延在する対向する弾性片における接続方向手前側（挿入口側）を外方へ折り曲げて開口を窄める形状とすると共に、軸心に近い部分を接触部とした構造のもの（特許文献１参照）、側壁内で対向する弾性片にあっての接続方向手前側（挿入口側）となる一端側を外方へ折り曲げて自由端とし、且つ接続方向奥手側となる他端側を固定端として側壁の軸心に近い部分に接触部を持たせ、更に自由端の座屈変形を防止するために挿入口付近の側壁の対向するものを内方へ折り返して自由端の弾性変位を規制するようにした構造のもの（特許文献２参照）、或いは後者に似た構造であって、側壁内で一つの弾性片にあっての接続方向手前側（挿入口側）となる一端側を外方へ折り曲げて自由端とし、且つ接続方向奥手側となる他端側を固定端として側壁の軸心に近い部分に接触部を持たせ、更に自由端の座屈変形を防止するために挿入口付近の側壁の一つのものを内方へ折り返して自由端の弾性変位を規制するようにした構造のもの（特許文献３参照）等が挙げられる。
【０００３】
【特許文献１】実開平６−７２１６９号公報（段落［０００７］乃至段落  ［００１０］、図１、図２）
【特許文献２】特開平１０−５５８３９号公報（段落［００２０］、図３、図４）
【特許文献３】実用新案登録第２５５６２８０号公報（段落［０００９］乃至段落［００１１］、図１）
【発明の開示】
【発明が解決しようとする課題】
【０００４】
上述した特許文献１に係る雌型コンタクトの場合、側壁から一体的に延在する対向する弾性片にあっての接続方向手前側を外方へ折り曲げて開口を窄める形状とすると共に、軸心に近い部分を接触部とした構造であるため、挿入口が狭くなって接触有効長も短くなってしまうという構造的な問題があるばかりでなく、各弾性片にあっての接続方向手前側となる一端側の自由端の座屈変形を防止する機能を持たないために相手側コンタクトを挿入口から挿入して弾性片の接触部に接触させ、接触部が弾性変位して相手側コンタクトへ摺動接触する使用形態を長期間に及んで反復的に行うと、しばしば弾性片における接触部に繋がる自由端が側壁の軸心方向へ座屈変形されてしまい、この座屈変形が進行した状態では自由端が相手側コンタクトに接触して挿入接続を円滑に行うことが困難になったり、或いは自由端の端部が相手側コンタクトの先端に当接して挿入接続を行うことができなくなる可能性もある等、長期間使用に際しての耐久性及び信頼性に欠くという問題がある。
【０００５】
これに対し、特許文献２や特許文献３に係る雌型コンタクトの場合、弾性片にあっての接続方向手前側となる一端側の自由端の座屈変形を防止する機能を持つために特許文献１の場合のように自由端が相手側コンタクトに接触したり、或いは挿入接続を妨げるような座屈変形を起こす問題は回避されるが、これらの構造では自由端の座屈変形を防止する機能を挿入口付近の側壁を内方へ折り返して自由端の弾性変位を規制するような構造としているため、構造的に挿入口が狭くなる上に側壁が膨らんで全体の径が大きくなってしまう（特に特許文献２の構造の場合に顕著である）ことを回避できず、これによって大型化されてしまうという難点があるばかりでなく、こうした構造では折り返し部分が座屈変形してしまう恐れがあり、この折り返し部分の座屈変形が進行した状態では自由端の弾性変形が規制され過ぎることに伴って接触部の弾性変形が円滑に行われなくなって挿抜不良を起こして相手側コンタクトの表面を損傷させてしまったり、或いは接触有効長を十分に確保できなくなって構造的に安定した電気的な接続状態を確保できなくなってしまうといった問題がある。
【０００６】
本発明は、このような問題点を解決すべくなされたもので、その技術的課題は、長期間の反復的な繰り返し使用に際しても弾性片における接続方向手前側の自由端が座屈変形されずに相手側コンタクトに対して安定した接触部の接触動作を行わせることができる優れた耐久性構造を有するコンタクト及びそれを用いたコネクタを提供することにある。
【課題を解決するための手段】
【０００７】
本発明によれば、相手側コンタクトとの接続時に弾性変位して該相手側コンタクトに摺動接触する接触部を含む弾性片を側壁で囲って成ると共に、該側壁の内部で該弾性片にあっての接続方向手前側となる一端側を自由端とし、且つ接続方向奥手側となる他端側を固定端として所定箇所に保持固定して該側壁の軸心に近い部分に該接触部を持たせて成るコンタクトにおいて、弾性片及び側壁は、互いに協働して自由端の変位を規制するための変位規制手段を有するコンタクトが得られる。
【０００８】
又、本発明によれば、上記コンタクトにおいて、弾性片にあっての変位規制手段は、延在方向と垂直な外方へ突出するように自由端の端部に設けられたストッパ部であり、側壁にあっての変位規制手段は、ストッパ部を当接させて係止するための内部の所定箇所に設けられたストッパ受部であるコンタクトが得られる。
【０００９】
更に、本発明によれば、上記何れかのコンタクトにおいて、弾性片は、長さ方向の側面形状が側壁の軸心に対して接触部が最も接近し、且つ固定端よりも自由端が接近するように繋がって屈曲したものであるコンタクトが得られる。
【００１０】
加えて、本発明によれば、上記何れか一つのコンタクトをハウジングに保持固定して成るコネクタが得られる。
【発明の効果】
【００１１】
本発明のコンタクトの場合、相手側コンタクトとの接続時に弾性変位して相手側コンタクトに接触する接触部を有する弾性片にあっての接続方向手前側となる一端側の自由端が繰り返し使用により座屈変形することを防止できるように、弾性片及びこれを囲う側壁の双方に対して相手側コンタクトとの接続時に協働して自由端の変位を規制するための変位規制手段を持たせているので、相手側コンタクトとの接続、即ち、相手側コンタクトを挿入口から挿入して弾性片の接触部に接触させ、接触部が弾性変位して相手側コンタクトへ摺動接触する使用形態を長期間に及んで反復的に行っても、弾性片における接続方向手前側の自由端が変位規制手段により規制されて自由端の座屈変形が防止されて相手側コンタクトの挿入性が損なわれることがないことにより、長期間の反復的な繰り返し使用に際しても相手側コンタクトに対して安定した接触部の接触動作を行わせることができる優れた耐久性構造を有するものとなり、結果として、係るコンタクトをハウジングに保持固定して成るコネクタにおいても、長期間使用に際しての耐久性及び信頼性が顕著に改善向上されるようになる。
【発明を実施するための最良の形態】
【００１２】
本発明の最良の形態に係るコンタクトは、相手側コンタクトとの接続時に弾性変位して相手側コンタクトに摺動接触する接触部を含む弾性片を側壁で囲って成ると共に、側壁の内部で弾性片にあっての接続方向手前側となる一端側を自由端とし、且つ接続方向奥手側となる他端側を固定端として所定箇所に保持固定して側壁の軸心に近い部分に接触部を持たせて成る基本構造のものにおいて、弾性片及び側壁に対し、相手側コンタクトとの接続時に互いに協働して自由端の変位を規制するための変位規制手段を設けたものである。具体的には、弾性片にあっての変位規制手段は、延在方向と垂直な外方へ突出するように自由端の端部に設けられたストッパ部とし、側壁にあっての変位規制手段は、ストッパ部を当接させて係止するための内部の所定箇所に設けられたストッパ受部とすることが好ましい。又、このコンタクトにおいて、弾性片の長さ方向の側面形状としては、側壁の軸心に対して接触部が最も接近し、且つ固定端よりも自由端が接近するように繋がって屈曲したものであることが好ましい。尚、このようなコンタクトは、ハウジングに保持固定されてコネクタとされるのが一般的である。
【００１３】
係る構造のコンタクトでは、弾性片及びこれを囲う側壁の双方に対して相手側コンタクトとの接続時に協働して自由端の変位を規制するための変位規制手段を持たせているので、相手側コンタクトとの接続、即ち、相手側コンタクトを挿入口から挿入して弾性片の接触部に接触させ、接触部が弾性変位して相手側コンタクトへ摺動接触する使用形態を長期間に及んで反復的に行っても、弾性片における接続方向手前側の自由端の変位が変位規制手段により規制されて自由端の座屈変形が防止されて相手側コンタクトの挿入性が損なわれることがない。これによって、長期間の反復的な繰り返し使用に際しても相手側コンタクトに対して安定した接触部の接触動作を行わせることができる優れた耐久性構造を有するものとなり、結果として、係るコンタクトをハウジングに保持固定して成るコネクタにおいても、長期間使用に際しての耐久性及び信頼性が向上するものとなる。
【００１４】
以下は、具体的な実施例を挙げ、本発明のコンタクトについて、具体的に説明する。
【実施例１】
【００１５】
図１は、本発明の実施例１に係るコンタクト１０の基本構造を示した概略図であり、同図（ａ）は正面方向からの簡略した端面図に関するもの，同図（ｂ）は全体の側面図に関するもの，同図（ｃ）は長さ方向に破断した全体の側面断面図に関するものである。又、図２は、このコンタクト１０の要部における細部構造を示した概略図であり、同図（ａ）は長さ方向に破断した側面断面図に関するもの，同図（ｂ）はＡ−Ａ′線方向の端面断面図に関するもの，同図（ｃ）はＡ−Ａ′線矢視方向での弾性片を示す平面図に関するものである。
【００１６】
図１（ａ）〜（ｃ）を参照すれば、このコンタクト１０は、全体の外観上において、図示されない相手側コンタクトとの接続時に弾性変位して相手側コンタクトに摺動接触する接触部を含む弾性片２を囲って成る円筒型の側壁１（コンタクト１０の要部）に対して、図示されない導線を保持固定するための導線保持固定部１′、並びに抜け止め防止固定するための導線抜け止め防止固定部１″が一体的に長さ方向に延在するように形成され、弾性片２の他端側を導線に接続した状態で導線保持固定部１′及び導線抜け止め防止固定部１″をかしめて導線を固定保持するようになっている。
【００１７】
図２（ａ）〜（ｃ）を参照すれば、このコンタクト１０の要部は、側壁１の内部で弾性片２にあっての接続方向手前側となる一端側を自由端２ａとし、且つ接続方向奥手側となる他端側を固定端２ｃとして所定箇所に保持固定して側壁１の軸心に近い部分に接触部２ｂを持たせて成る基本構造のものであり、弾性片２の長さ方向の側面形状が側壁１の軸心に対して接触部２ｂが最も接近し、且つ固定端２ｃよりも自由端２ａが接近するように繋がって屈曲したものとなっている他、弾性片２及び側壁１に対し、相手側コンタクトとの接続時に互いに協働して自由端２ａの変位を規制するための変位規制手段として、弾性片２については、延在方向と垂直な外方へ突出するように自由端２ａの両端部に設けられたストッパ突出片部２ａ′、側壁１については、ストッパ突出片部２ａ′を当接させて係止するための内部の所定箇所に対向して設けられたストッパ受突起部１ａを備えた構造となっている。
【００１８】
このうち、弾性片２の自由端２ａの両端部に設けられたストッパ突出片部２ａ′を係止するために側壁１内部の所定位置に対向して設けられたストッパ受突起部１ａは、簡易な工具を用いて円筒状の側壁１の外壁表面における該当する箇所を内壁表面を通して側壁１の軸心へ向けて凹ますことにより、図２（ｂ）に示されるような形状として、簡単に形成できるものである。
【００１９】
このコンタクトの場合、図示されない相手側コンタクト（雄型ピンコンタクト等）を側壁１の挿入口から挿入して弾性片２の接触部２ｂに接触させ、接触部２ｂが弾性変位して相手側コンタクトへ摺動接触する相手側コンタクトとの接続使用形態を長期間に及んで反復的に行っても、弾性片２における接続方向手前側の自由端２ａの変位がその両端部に設けられたストッパ突出片部２ａ′の側壁１内部の所定位置に対向して設けられたストッパ受突起部１ａに対する当接係止により規制されるため、自由端２ａの座屈変形が適確に防止されて弾性片２の弾性（バネ性）が損なわれることがない。これにより、長期間の反復的な繰り返し使用に際しても相手側コンタクトに対して安定した接触部２ｂの接触動作を行わせることができ、且つ相手側コンタクトと嵌合する際のガイドを確実に行わせることができ、相手側コンタクトの挿入性が良くなる。
【００２０】
尚、実施例１のコンタクトでは、側壁１の形状を円筒型として説明したが、端面方向での断面が多角形となるような筒箱状にしても良いので、その形状は問わない。又、実施例１のコンタクトでは、自由端２ａの変位を規制するための変位規制手段として、ストッパ突出片部２ａ′が弾性片２の自由端２ａの両端部に設けられ、これらを係止するためのストッパ受突起部１ａが側壁１内部の対応する箇所に対向して設けられた場合の構造を説明したが、機械的強度からみれば、ストッパ突出片部２ａ′を弾性片２の自由端２ａの片方の端部にのみ設け、これを係止するためのストッパ受突起部１ａを側壁１内部の所定位置に１箇所に設ける構造にしても、ほぼ同等な機能が得られるので、そのような構造に変更しても構わない。
【図面の簡単な説明】
【００２１】
【図１】本発明の実施例１に係るコンタクトの基本構造を示した概略図であり、（ａ）は正面方向からの簡略した端面図に関するもの，（ｂ）は全体の側面図に関するもの，（ｃ）は長さ方向に破断した全体の側面断面図に関するものである。
【図２】図１に示すコンタクトの要部における細部構造を示した概略図であり、（ａ）は長さ方向に破断した側面断面図に関するもの，（ｂ）はＡ−Ａ′線方向の端面断面図に関するもの，（ｃ）はＡ−Ａ′線矢視方向での弾性片を示す平面図に関するものである。
【符号の説明】
【００２２】
１  側壁
１′  導線保持固定部
１″  導線抜け止め防止固定部
１ａ  ストッパ受突起部
２  弾性片
２ａ  自由端
２ａ′  ストッパ突出片部
２ｂ  接触部
２ｃ  固定端
１０  コンタクト
【図１】
2006302688.tif 000003
【図２】
2006302688.tif 000004